(57)【特許請求の範囲】
【請求項１】
長手方向に設けられた隔壁により脱血ルーメンと返血ルーメンの少なくとも２つのルーメンを備えるバスキュラーアクセスカテーテルにおいて、カテーテル先端部近傍の形状が、当該バスキュラーアクセスカテーテルが血管内に留置され血流中に置かれたときに、前記脱血ルーメンの開口部が位置する側とは反対側の方向へ揚力が発生し得る形状であって、前記脱血ルーメンの開口部の位置する側が凹状となるように屈曲又は湾曲している形状であることを特徴とするバスキュラーアクセスカテーテル。
【請求項２】
返血ルーメンの開口部がカテーテル先端まで貫通してエンドホール型となり、脱血ルーメンの開口部がカテーテル先端からカテーテル基部側へ１〜１１ｃｍ隔てた位置にあり、この脱血ルーメンの開口部より先端側の形状が揚力を発生し得る形状となっている請求項１記載のバスキュラーアクセスカテーテル。
【請求項３】
返血ルーメンの開口部の端面が、カテーテル本体の長手方向に対し、脱血ルーメンの開口部の位置する側へ傾斜している請求項１又は２記載のバスキュラーアクセスカテーテル。
【発明の詳細な説明】
【技術分野】
【０００１】
本発明は、血液浄化療法や輸液・薬剤の投与など、医療上の治療の目的で使用される血管内留置用のバスキュラーアクセスカテーテルに関するものである。
【背景技術】
【０００２】
従来、腎不全、糖尿病、薬物中毒、全身性炎症反応症候群（SIRS）、急性呼吸促拍症候群（ARDS）、多臓器不全（MOF）、肝炎、膵炎等の疾病のために血液浄化を必要とする患者に対しては、血管内にカテーテルを留置して血液を脱返血するバスキュラーアクセスカテーテルが使用されている（非特許文献１参照）。
【０００３】
このバスキュラーアクセスカテーテルは通常、1本のカテーテルの内腔が2層のルーメンに分かれ、1つのルーメンから血液を吸引して体外に排出し、人工腎臓等を介して浄化された血液が、もう一つのルーメンから体内に戻されるダブルルーメンカテーテルがもっとも多く使用されている。また、近年、前記ダブルルーメンカテーテルに薬剤等の投与やCVP（中心静脈圧）測定に用いる第3のルーメンを付与したトリプルルーメンカテーテルの使用割合も増えてきている。
【０００４】
ダブルルーメンカテーテルの形状としては、内腔が１つの隔壁を介してサイドバイサイド状に分かれ、返血ルーメンは先端孔まで通じ、脱血ルーメンの開口部はカテーテル外側の壁面に設けられた側孔となっているダブルアクシャル型（非特許文献２参照）や、アウターカテーテルの内腔に着脱式のインナーカテーテルを挿入したコアクシャル型（非特許文献３参照）、さらにはダブルアクシャル型の脱血ルーメンが先端孔となり、脱返血側の先端が段差状となるエンドホール型の形状（非特許文献２参照）が開発され臨床現場で広く使用されている。
【０００５】
トリプルルーメンカテーテルの形状は、ダブルルーメン同様にサイドバイサイド型（例えば特許文献１参照）で脱返血ルーメンを有し、先端部に第３のルーメンの開口部を有している。また、脱返血ルーメンの開口部および第３のルーメンの開口部がエンドホール型のトリプルルーメンカテーテルも開発されている（特許文献２参照）。更には脱返血ルーメンの開口部、第３および第４のルーメンの開口部がエンドホール型の４ルーメンカテーテルも開発されている（特許文献３参照）。また、脱血ルーメンの開口部から先の延長部に広径部を有するダブルルーメンカテーテル（特許文献４）が開発されている。
【０００６】
前記のカテーテルは、それぞれ長所と短所を有しているが、共通する最も大きな問題点として、カテーテル先端部近傍の脱血ルーメンの開口部が、留置された血管の血管壁に接触して、いわゆる“血管へばりつき現象”を起こし、カテーテル内腔の血液の流量が低下する現象が挙げられる。この血管へばりつき現象を解決するために、従来、種々の提案がなされている。
【０００７】
その中の代表的なものとしては、脱血ルーメン側壁の対向した位置に一対の側孔を設けるもの（例えば、特許文献１、６参照）、脱血ルーメン開口部を基部側手前にてエンドホール型とし（例えば、特許文献２、３参照）、さらには開口部端面の向きを軸方向に対して傾斜させるもの（例えば、特許文献７参照）、また、脱血ルーメン開口部をエンドホール型以外の特殊な形状とするもの（例えば、特許文献５参照）や脱血ルーメンの開口部のある位置から先端側のカテーテル本体の形状を断面積の小さい狭径部とそれに引続く断面積の大きい広径部とからなるものにするもの（例えば、特許文献４参照）などである。
【非特許文献１】平沢油平：透析療法マニュアル（改訂第５版）、１７０、日本メディカルセンター（１９９９）
【非特許文献２】阿岸鉄三、天野泉：ブラッドアクセスインターベンション治療の実際、１８、秀潤社（１９９９）
【非特許文献３】宮形滋、本郷隆二、松崎章、加藤隆三、小林浩悦、原田忠、土田正義：ダブルルーメンカテーテル型UKカテーテルの考案、日本透析学会雑誌５（４）、２２０（１９９０）
【特許文献１】特開平９−２７６４１０号公報
【特許文献２】特開２００７−２０２９０１号公報
【特許文献３】特開２００８−４４１号公報
【特許文献４】特開２００１−３４０４６６号公報
【特許文献５】特開２００５−１１８３６１号公報
【特許文献６】特開２００６−９５１３４号公報
【特許文献７】特開２００１−１０４４８６号公報
【発明の開示】
【発明が解決しようとする課題】
【０００８】
しかしながら、上記した種々の提案に基づくカテーテルにおいても、血管へのへばりつき現象の防止・抑制効果は、臨床での成績が依然として低いものであった。
【０００９】
血液浄化療法中に、このような血液の流量が低下する現象は、医療従事者、患者双方に肉体的、精神的に多大な負担を強いるものであるばかりでなく、最悪の場合カテーテルの交換を余儀なくされるなど医療経済上も大きな損失を招くものであった。
【００１０】
本発明は、主に血液浄化療法に使用されるバスキュラーアクセスカテーテルにおいて、安定した血流量を得る為に大きな障害となっていたカテーテル先端の脱血ルーメンの開口部の“血管へばりつき現象”を回避し得るバスキュラーアクセスカテーテルを提供することを目的とするものである。
【課題を解決するための手段】
【００１１】
本発明者らは、上記の目的を達成するために鋭意検討した結果、バスキュラーアクセスカテーテルが血管内に留置された場合には、当該カテーテルが「血流」という流れの中にあることに着眼し、従来にない斬新な原理に基づきカテーテル先端近傍の形状を工夫することにより、脱血ルーメンの開口部と血管壁との間隔を大きくすることができ、結果的に脱血ルーメン開口部への血管のへばりつき現象を回避することができることを見出し、本発明に到達した。
【００１２】
すなわち、本発明は、長手方向に設けられた隔壁により脱血ルーメンと返血ルーメンの少なくとも２つのルーメンを備えるバスキュラーアクセスカテーテルにおいて、カテーテル先端部近傍の形状を、当該バスキュラーアクセスカテーテルが血管内に留置され血流中に置かれたときに、脱血ルーメンの開口部が位置する側とは反対側の方向へ揚力が発生し得る形状としたことを特徴とするバスキュラーアクセスカテーテルを要旨とするものであり、好ましくは、脱血ルーメンの開口部が位置する側とは反対側の方向へ揚力が発生し得る形状が、脱血ルーメンの開口部の位置する側が凹状となるように屈曲又は湾曲している形状であるものであり、また好ましくは、返血ルーメンの開口部がカテーテル先端まで貫通してエンドホール型となり、脱血ルーメンの開口部がカテーテル先端からカテーテル基部側へ１〜１１ｃｍ隔てた位置にあり、この脱血ルーメンの開口部より先端側の形状が揚力を発生し得る形状となっている上記したバスキュラーアクセスカテーテルであり、さらに好ましくは、上記したバスキュラーアクセスカテーテルにおいて、返血ルーメンの開口部の端面が、カテーテル本体の長手方向に対し、脱血ルーメンの開口部の位置する側へ傾斜しているものである。
【発明の効果】
【００１３】
本発明によれば、カテーテルの脱血ルーメンの開口部から生じる血液の吸引力により脱血ルーメンの開口部へ血管壁が密着する現象（血管へばりつき現象）を今まで以上に防止・抑制することができる一方、複雑な形状でないために簡便に作製することができる。さらに、カテーテル挿入時においてもスムーズな挿入が可能なものである。また、先端の返血ルーメンの開口部の向きをカテーテル長手方向に対して脱血ルーメンの開口部側に傾斜させることによる吐出圧が加わることにより、血管へばりつき現象をより確実に防ぐことができる。
【発明を実施するための最良の形態】
【００１４】
以下、本発明を詳細に説明する。
【００１５】
本発明におけるバスキュラーアクセスカテーテルは、１本のカテーテル内を長手方向に仕切って設けた少なくとも２つのルーメンを通じて血液を脱返血するカテーテルであって、カテーテル先端近傍の形状を、脱血ルーメンの開口部が位置する側とは反対側の方向へ揚力が発生する形状としたことを特徴とするものである。ここで、「揚力」とは、流れの中に置かれた物体が流れから受ける力のうち、流れと垂直な方向に働く力をいい、本発明においては血流が「流れ」に相当し、カテーテルが「物体」に相当することになる。したがって、カテーテル先端近傍において、脱血ルーメンの開口部がある側と反対方向へ揚力を発生させることができれば、カテーテル先端近傍が脱血ルーメンの開口部がある側と反対方向へ移動することとなり、その結果、脱血ルーメンの開口部が血管壁より離れることとなる。
【００１６】
本発明において、カテーテルが血管内に留置され血流中に置かれたときに、脱血ルーメンの開口部が位置する側とは反対側の方向へ揚力が発生し得る形状としては、特に限定されるものではないが、例えば、カテーテルの先端近傍の形状が、飛行機の翼、あるいはヨットのセールのように、脱血ルーメンの開口部の位置する側が凹状となるように血流に対してある角度（以下、この角度を「迎え角」という。）をもって屈曲又は湾曲した形状が挙げられる。
【００１７】
これらの形状について、返血ルーメンの開口部がカテーテル先端まで貫通してエンドホール型となり、脱血ルーメンの開口部がカテーテル先端から基部側へ１〜１１ｃｍほど隔てた位置にあるダブルルーメンカテーテルを例にとって図面に基づき説明する。
【００１８】
まず初めにカテーテル先端近傍が屈曲した形状のものについて説明する。
【００１９】
図１はそのようなダブルルーメン型バスキュラーアクセスカテーテル１の全体図を示しており、正面図である。図中、２はカテーテル本体であり、その先端部に返血ルーメンの開口部１１がエンドホール型で外部と挿通している。１０は脱血ルーメンの開口部を示し、開口部の端面はカテーテル本体２の長手方向に対しある角度で傾斜している。この脱血ルーメン開口部１０より先端側は狭径部１３を形成し、その狭径部１３におけるある箇所を屈曲点としてそこから先端部が血流に対し迎え角をもって脱血ルーメン開口部側へ屈曲した形状１２を呈している。９は、脱血ルーメンの吸引圧が開口部１０に集中しないよう、また、万一、開口部１０が閉塞した際の緊急ルートとなるよう開口部１０とは別に設けた側孔を表し、１４はカテーテル先端が血管壁に接触した際に血管壁を傷つける等の物理的な影響を少なくするために先端の材質をカテーテル本体２の材質よりも柔らかくしたカテーテル先端柔軟部であることを表している。
【００２０】
カテーテル本体２から基部側の構成は従来のダブルルーメンカテーテルと同様の構成とすることができ、すなわち、分岐部３を経て両方のルーメンに対応する枝管４が伸び、脱血側ハブ５及び返血側ハブ６が接続されている。枝管４にはクランプ７が備わっている。８は、糸掛具である。
【００２１】
図２（ａ）は図１のバスキュラーアクセスカテーテルの先端部分を拡大した正面図であり、図２（ｂ）は図２（ａ）の下面図である。図２（ａ）において、脱血ルーメン開口部１０から先端側へ屈曲点までの距離をβ、屈曲点から先端までの距離をγ、カテーテル本体が血流と平行に位置しているとして、迎え角がαとなる。本発明においては、脱血ルーメン開口部より先端側の長さ（β＋γ）は、使用目的やカテーテル外径の大きさにも拠るが、おおよそ１０〜１１０ｍｍ、好ましくは１０〜５０ｍｍ、さらに好ましくは１５〜３５ｍｍである。また、βとγの比率は、０≦β／γ＜１００であり、好ましくは、１０≦β／γ≦９５、さらに好ましくは２０≦β／γ≦９０である。β／γの値が１００に近づくに従い、いわゆる“ダックテール”の形状となるが、この場合、脱血ルーメンの開口部１０を血管壁より離す方向へ揚力を生じる形状ならばどのようなダックテール形状でもよく、滑らかにはね上がるような形状（図面では下向きにはね上がる）や突起状になったものも含まれる。
【００２２】
本発明において、迎え角αは、１度≦α＜９０度であり、好ましくは２度≦α≦６０度であり、さらに好ましくは３度≦α≦４５度である。
【００２３】
また、カテーテル先端部の返血ルーメン開口部１１の端面が、カテーテル本体の長手方向の軸との間で形成する角度εは、特に限定するものではないが、開口部端面がこの図２（ａ）で下を向くほど返血流の吐出力により血管壁を押す力が大きくなることから、好ましくはカテーテル長手方向に対して０度≦ε≦９０度がよく、より好ましくは０度≦ε≦７０度であり、もっとも好ましくは０度≦ε≦５０度である。
【００２４】
本発明において、カテーテル本体および脱血ルーメン開口部より先端側の狭径部の断面形状としては、特に限定されるものではないが、例えば、図５に挙げたようなものが考えられる。図５は、本発明のバスキュラーアクセスカテーテルの断面形状を示しており、図１のカテーテル本体２のA−A’位置の断面図を（ａ）に、図２（ｂ）の狭径部１３B−B’位置の断面図を（ｂ）、先端柔軟部１４のC−C’断面図を（ｃ）に示す。カテーテル本体の内腔は脱血ルーメン１５と返血ルーメン１６の２層にわかれ、脱血ルーメンの開口部１０から先端部側の狭径部１３は返血ルーメン１６だけが延び、返血ルーメン１６先端部ではほぼ真円状になっている。このような断面形状は従来からのエンドホール型カテーテルに多く採用されている。本発明においては、狭径部１３においてより大きな揚力を得るために、断面形状をより扁平なものとするのが好ましい。
【００２５】
なお、脱血ルーメンの開口部１０がエンドホール型の場合、その端面は、カテーテル長手方向に対して２５度以上、９０度未満の角度の傾斜がよく、更に好ましくは２５度以上、４５度未満がよい。
【００２６】
以上、説明したようなカテーテル先端近傍が屈曲した形状を有するカテーテルを血管内に留置すると、図４に示したような方向へ揚力が生じカテーテル先端部が移動することとなる。
【００２７】
次にカテーテル先端近傍が湾曲した形状のものについて説明する。
【００２８】
図３はそのような形状の一例を示すものである。その湾曲の程度を、曲率半径Ｒを用いて表すと、カテーテル長手方向に対して曲率半径Rは1〜１００ｍｍであり、より好ましくは２〜５０ｍｍであり、もっとも好ましくは１０〜３０ｍｍである。また、脱血ルーメン開口部１０から先端側へ、湾曲が開始する点までの距離をβ、その点から先端までの距離をγとすると、βとγの比率は、０≦β／γ＜１００であり、好ましくは、１０≦β／γ≦９５、さらに好ましくは２０≦β／γ≦９０である。
【００２９】
本発明のバスキュラーアクセスカテーテルについて、上述したようにダブルルーメンカテーテルを例にとって説明したが、マルチルーメンカテーテルの形状には脱返血ルーメン以外に薬剤投与やCVP測定用の第３、第４のルーメンを有しているものも含まれる。例えば、狭径部に第３のルーメンの開口部を設けた形状のもの（例えば、上記の特許文献２）、あるいは狭径部に第３及び第４のルーメンの開口部を設けた形状のもの（例えば、上記の特許文献３）が同様に用いることができる。
【００３０】
本発明のバスキュラーアクセスカテーテルにおいて、脱血ルーメンの開口部以外に設けられる側孔９については、無くてもよく、１個以上設けられていてもよい。また、大きさはカテーテルの直径よりも大きくなければよいが、通常は1〜3mmの大きさである。脱血側ルーメンの側孔位置は特に限定されない。
【００３１】
本発明のバスキュラーアクセスカテーテルの材質は、体内、特に血管内に留置して安全な弾性のある材質であればよく、例えば、ポリウレタン、シリコーン、ポリ塩化ビニル、ポリブタジエン、ポリアミド、エチレン−酢酸ビニル共重合体等が挙げられるが、カテーテル本体が柔軟な方が揚力発生部に揚力が発生した時にその力を受けて脱血ルーメンの開口部を血管壁より離す効果が得られやすいため、体外では適度な硬度を保ち体内で柔軟性を有するポリウレタンが好ましい。
【００３２】
本発明のバスキュラーアクセスカテーテルは、皮膚のカテーテル刺入部から血管の刺入部までの間の皮下組織と密着させる機能を有するカフがカテーテルの表面の１箇所、または２箇所以上取り付けられているものであってもよい。カフの形状としては、繊維の綿状のもの、スポンジ状のもの、カテーテルの一部が盛り上がったもの等が挙げられ、材質としては、ポリエステル、ナイロン、ポリウレタン、アクリル等の合成高分子化合物または綿、絹、キチン等の天然高分子化合物等が挙げられる。
【００３３】
本発明のバスキュラーアクセスカテーテルは、皮下組織または血管への挿入を容易にするために基材表面を親水性高分子化合物でコーティングするなどの潤滑性処理が施されているもの（例えば、特開平１０−２４８９１９号公報参照）であってもよい。潤滑性処理する方法は多くの方法が開発されているが、特にどの方法を選択しても良い。また、潤滑性処理の範囲は人体に接触する部分、またはカテーテルを留置する用具等に接触する部分であれば特にどの部分であってもよい。
【００３４】
本発明のバスキュラーアクセスカテーテルは、留置中に血液と接触して血栓が形成されるのを防ぐために、抗血栓処理が施されていてもよい。抗血栓処理はウロキナーゼ等のプラスミノーゲンアクチベーターを化学結合法により基材のカテーテル表面に固定化する方法（詳細は、特許第１４０６８３０号公報参照）、ヘパリン等の抗凝固因子をカテーテル表面に固定化する方法等様々な方法が開発されているが、特定の方法に限定されるものではない。また、抗血栓処理の範囲は生体内と接触する部分であれば、カテーテルの内面、外面またはその両方であってもよい。
【００３５】
本発明のバスキュラーアクセスカテーテルは、カテーテル留置中に細菌や真菌、ウイルスなどに感染することを防止するため、基材のカテーテル表面に抗菌剤や、抗生物資などがコーティングしているもの（例えば、特開２００１−２７６２１０号公報参照）や、抗菌剤が基材に直接混練されているもの（例えば、特開平８−１５７６４１号公報参照）であってもよい。
【００３６】
本発明の作用原理について説明する。
血管内の血流は本発明のバスキュラーアクセスカテーテルに設けられた揚力発生形状にて、図４に示すように揚力発生形状の下側の流れは揚力発生形状によって下向きに曲げられ流れていく。これは揚力発生形状が流れを下向きに押しているからであり、その結果作用反作用の原理により揚力発生部は逆方向に力を受けることになる。一方、揚力発生形状の上側の流れは揚力発生形状に沿って流れ、やや下向きに向かって向きを変えて流れていくという性質（流体の流れは曲面に沿って曲がるという性質（コアンダ効果））がある。このとき、揚力発生形状は流れを下向きに引っ張り下向きに曲げているため揚力発生部は代わりに逆向きの力を受けることになる。つまり、本発明の揚力を発生する形状によって流れを脱血側へ曲げることにより、揚力を得て脱血側開口部を血管壁より離すことが可能となる。
【００３７】
更には、血液浄化療法施行中では、先端の返血ルーメンの開口部よりカテーテル長手方向に対して脱血ルーメン側に角度がついた状態で排出される返血流の吐出力により血管壁からカテーテルの脱血ルーメンの開口部を離すことができる。
【実施例】
【００３８】
以下、実施例によって本発明を具体的に説明する。
【００３９】
実施例１
図１、図２及び図５に示すように、外径４ｍｍの断面形状図５（ａ）を有し、長さ２５ｃｍのポリウレタン製チューブをダブルルーメンのカテーテル本体２とするバスキュラーアクセスカテーテルを作製した。脱血ルーメンの開口部１０から先端における狭径部は、半径２ｍｍの半円形の断面形状図５（ｂ）の形状を有し、先端になるに従いテーパーが付いて、先端の返血ルーメンの開口部は、断面形状図５（ｃ）の形状を有し、外径２．２ｍｍ、内径１．６ｍｍとなっている。カテーテル先端近傍の形状は、屈曲型とし、迎え角α＝１０度、β＝１０ｍｍ、γ＝１５ｍｍ、ε＝８０度とした。なお、脱血ルーメンの開口部１０のカテーテル長手方向にたいする角度は３０度とした。
【００４０】
実施例２
実施例１のバスキュラーアクセスカテーテルにおいて、β＝０ｍｍ、γ＝２０ｍｍとした他は同様にしてバスキュラーアクセスカテーテルを作製した。
【００４１】
実施例３
実施例１のバスキュラーアクセスカテーテルにおいて、迎え角α＝２０度、ε＝７０度とした他は同様にしてバスキュラーアクセスカテーテルを作製した。
【００４２】
実施例４
実施例１のバスキュラーアクセスカテーテルにおいて、迎え角α＝２０度、γ＝１０ｍｍ、ε＝０度とした他は同様にしてバスキュラーアクセスカテーテルを作製した。
【００４３】
実施例５
カテーテル先端近傍の形状を図３に示した湾曲型とし、曲率半径Ｒ＝１５ｍｍ、β＝１０ｍｍ、γ＝１２ｍｍ、ε＝４５度とした他は実施例１と同様にしてバスキュラーアクセスカテーテルを作製した。
【００４４】
比較例１
実施例１のバスキュラーアクセスカテーテルにおいて、カテーテル本体が先端まで直線的に伸びた（迎え角α＝０度）従来のものを作製した。
【００４５】
試験例１
図６に示すような模擬血管循環モデル装置を作製した。内径１０ｍｍのポリ塩化ビニル製チューブを模擬血管１８に見立てて、その内腔１９に実施例１〜５のバスキュラーアクセスカテーテルおよび比較例１のカテーテルを脱血側開口部が下側になるように留置し、チューブ内に３７℃のグリセリン４０％水溶液を擬似血液として３L／分の流速で流した際の脱血側開口部のリフトアップ距離Ｌ（図７参照）を測定した。
【００４６】
得られた結果を表１に示した。実施例１〜５のバスキュラーアクセスカテーテルにおいてはカテーテル脱血側開口部が１．０〜３．０ｍｍリフトアップすることが確認された。これに対し比較例１ではカテーテル脱血側開口部は全くリフトアップしなかった。
【００４７】
【表１】
0005224891.tif 000002
【００４８】
試験例２
試験例１の条件下でさらに血液回路コネクター（返血側）２２と血液回路コネクター（脱血側）２３を透析回路に接続し、回路内流量（カテーテル流量）を２００ｍL／分にて流したときの脱血側開口部のリフトアップ距離Lを測定した。
【００４９】
得られた結果を表２に示した。実施例１〜５は揚力と吐出力によりリフトアップ距離が試験例１の結果より増大し、２．５〜４．５ｍｍとなった。一方、比較例１では試験例１同様リフトアップはまったく確認されなかった。
【００５０】
【表２】
0005224891.tif 000003
【図面の簡単な説明】
【００５１】
【図１】本発明のバスキュラーアクセスカテーテルの一例の全体を示す概略図である。
【図２】図１のバスキュラーアクセスカテーテルの先端部の形状を示す概略図である（ａ：正面図、ｂ：背面図）。
【図３】本発明のバスキュラーアクセスカテーテルの他の例の先端部の形状を示す概略図である。
【図４】本発明のバスキュラーカテーテル先端部での血流の流れと揚力の関係を示す模式図である。
【図５】図１及び図２のバスキュラーアクセスカテーテルにおける断面形状を示す概略図である（ａ：Ａ−Ａ’、ｂ：Ｂ−Ｂ’、ｃ：Ｃ−Ｃ’）。
【図６】試験例において用いた模擬血液循環モデル装置を示す図である。
【図７】図６におけるカテーテル先端部付近を示す拡大図である。
【符号の説明】
【００５２】
１  バスキュラーアクセスカテーテル
２  カテーテル本体
３  分岐部
４  枝管  
５  脱血側ハブ
６  返血側ハブ
７  クランプ
８  糸掛具
９  側孔
１０  脱血ルーメンの開口部
１１  返血ルーメンの開口部
１２  揚力発生形状
１３  狭径部
１４  カテーテル先端柔軟部
１５  脱血ルーメン
１６  返血ルーメン
１７  カテーテル
１８  擬似血管
１９  擬似血管内腔
２０  恒温循環ポンプ
２１  血流方向矢印
２２  血液回路コネクター（返血側）
２３  血液回路コネクター（脱血側）
２４  カテーテル先端部  
【図１】
0005224891.tif 000004
【図２】
0005224891.tif 000005
【図３】
0005224891.tif 000006
【図４】
0005224891.tif 000007
【図５】
0005224891.tif 000008
【図６】
0005224891.tif 000009
【図７】
0005224891.tif 000010